(57)【特許請求の範囲】
【請求項１】
投入された貨幣の特徴を検出する特徴検出手段と、前記特徴検出手段の検出結果に基づき前記貨幣の正偽を判定する判定手段と、前記判定手段により正と判定された前記貨幣を受け入れ、前記判定手段により偽と判定された前記貨幣を返却する貨幣振分手段とを具備する貨幣選別装置において、
前記投入された貨幣が前記判定手段により偽と判定された場合に該偽と判定された貨幣が投入された時点からの所定の時間を計測するタイマ手段と、
前記タイマ手段が動作している場合は後続する貨幣の受け入れを禁止する貨幣受入禁止手段と
を具備することを特徴とする貨幣選別装置。
【請求項２】
前記判定手段による過去の判定結果を所定の数だけ記憶する記憶手段を更に具備し、
前記タイマ手段は、前記記憶手段に偽と判定された貨幣が所定の数以上ある場合に動作する
ことを特徴とする請求項１記載の貨幣選別装置。
【請求項３】
前記タイマ手段は、該タイマ手段が動作している場合に貨幣が投入されると前記所定の時間を延長する計測時間延長手段を具備することを特徴とする請求項１記載の貨幣選別装置。
【請求項４】
前記タイマ手段および前記貨幣受入禁止手段は、前記貨幣の金種別に設けられ、前記投入された貨幣の金種毎に動作することを特徴とする請求項１乃至３のいずれかに記載の貨幣選別装置。
【発明の詳細な説明】
【０００１】
【発明の属する技術分野】
この発明は、貨幣選別装置に関し、特に、偽貨投入の連続試行による偽貨受入率を低減することのできる貨幣選別装置に関する。
【０００２】
【従来技術】
一般に、自動販売機や両替機、サービス機器等に使用される貨幣選別装置では、貨幣投入口から投入された貨幣を正貨と偽貨とに振り分け、更にこの振り分けられた正貨を金種別に振り分けて受け入れるように構成されている。
【０００３】
また、貨幣選別装置における正貨と偽貨との振り分けは、貨幣の特徴を検出する特徴センサにより、貨幣投入口から投入された貨幣の特徴を検出し、その検出結果と所定の判定データを比較し、この比較結果に基づいて行われる。
【０００４】
特徴センサによる検出結果は、同種の貨幣であっても貨幣の汚れ等の影響により一定にはならないため、正貨と偽貨との振り分けは判定データに上限値と下限値を設定し、検出結果がこの範囲内にあるときに正貨と判定する。
【０００５】
したがって、正貨と偽貨との選別は完全に成功するわけではなく、偽貨を正貨として受け入れてしまうこともあり、例え偽貨の受入率が数パーセント以下であっても、偽貨投入の連続試行により偽貨を正貨として受け入れてしまうことになる。
【０００６】
特に、硬貨の場合には材質や外径、厚みが類似した外国貨が多々存在するため、このような外国貨を変造して金品を搾取する犯罪が近年多発している。
【０００７】
また、このような偽貨の受け入れを防止するために、正貨と偽貨との選別基準を厳しくすると、軽度に汚れた正貨も偽貨と判定されてしまい、結果的に貨幣選別装置として機能が低下したことと同一になってしまう。
【０００８】
【発明が解決しようとする課題】
上述の如く、貨幣選別装置においては、貨幣の汚れ等による影響を考慮して正貨と偽貨の選別を行っているため、偽貨投入の連続試行が行われると偽貨を正貨として受け入れてしまうことになり、偽貨の使用による被害が生じていた。
【０００９】
そこで、この発明は、偽貨投入の連続試行による被害を低減することのできる貨幣選別装置を提供することを目的とする。
【００１０】
【課題を解決するための手段】
上述した目的を達成するため、請求項１の発明は、投入された貨幣の特徴を検出する特徴検出手段と、前記特徴検出手段の検出結果に基づき前記貨幣の正偽を判定する判定手段と、前記判定手段により正と判定された前記貨幣を受け入れ、前記判定手段により偽と判定された前記貨幣を返却する貨幣振分手段とを具備する貨幣選別装置において、前記投入された貨幣が前記判定手段により偽と判定された場合に該偽と判定された貨幣が投入された時点からの所定の時間を計測するタイマ手段と、前記タイマ手段が動作している場合は後続する貨幣の受け入れを禁止する貨幣受入禁止手段とを具備することを特徴とする。
【００１１】
また、請求項２の発明は、請求項１の発明において、前記判定手段による過去の判定結果を所定の数だけ記憶する記憶手段を更に具備し、前記タイマ手段は、前記記憶手段に偽と判定された貨幣が所定の数以上ある場合に動作することを特徴とする。
【００１２】
また、請求項３の発明は、請求項１の発明において、前記タイマ手段は、該タイマ手段が動作している場合に貨幣が投入されると前記所定の時間を延長する計測時間延長手段を具備することを特徴とする。
【００１３】
更に、請求項４の発明は、請求項１乃至３のいずれかの発明において、前記タイマ手段および前記貨幣受入禁止手段は、前記貨幣の金種別に設けられ、前記投入された貨幣の金種毎に動作することを特徴とする。
【００１８】
【発明の実施の形態】
以下、この発明に係わる貨幣選別装置の一実施例を添付図面を参照して詳細に説明する。
【００１９】
図１は、この発明に係わる貨幣選別装置の構成を示すブロック図である。
【００２０】
図１において、貨幣選別装置１００は、投入された貨幣の選別制御を行う制御部１、貨幣の投入口である貨幣投入部２、貨幣の特徴を検出する特徴センサ３、制御部１による制御に基づき投入された貨幣を振り分ける貨幣振分部４、投入された貨幣を返却する貨幣返却部５、投入された貨幣を受け入れる貨幣受入部６、投入された貨幣が移動する貨幣搬送路７（７−１、７−２、７−３、７−４）で構成される。
【００２１】
また、制御部１は、特徴センサ３の出力を所定のデータに変換する検出手段１１、検出手段１１の出力やその他の情報を記憶するメモリ１２、貨幣選別の基準となる判定データを格納する判定データ格納手段１３、検出手段１１の出力と判定データ格納手段１３に格納される判定データを比較して投入された貨幣の正偽を判定する比較手段１４、貨幣の受入を禁止する時間を計測する受入禁止タイマ１５、比較手段１４の比較結果と受入禁止タイマ１５の状態に基づき貨幣振分部４を制御する貨幣振分制御手段１６で構成される。
【００２２】
この制御部１は、実装に際してはＣＰＵ等の演算装置とメモリ等の記憶装置で構成され、符号１１乃至１６で示す各部は、この演算装置および記憶装置上で形成される。
【００２３】
ここで、貨幣選別装置１００に投入された貨幣の流れを図２を参照して説明する。
【００２４】
図２は、貨幣選別装置１００における貨幣の流れを示す略図である。
【００２５】
図２に示す貨幣選別装置においては、投入された貨幣を金種別に受け入れることができるように貨幣受入部６を貨幣受入部６ａ乃至６ｄに区分している（図１では省略している）。
【００２６】
また、図１には示していない貨幣払出制御部８を付加して、貨幣受入部６ａ乃至ｄに受け入れられた貨幣を払い出しできるように構成している。
【００２７】
さて、貨幣投入部２から投入された貨幣は、貨幣搬送路７を介して貨幣振分部４まで搬送されるが、搬送途中に特徴センサ３により当該貨幣の特徴が検知される。
【００２８】
この特徴センサ３の出力は制御部１に入力され、制御部１では特徴センサ３の出力に基づき、当該貨幣の正偽と金種を選別し貨幣振分部４を制御する。
【００２９】
貨幣振分部４は、貨幣搬送路７を介して搬送された貨幣を制御部１からの制御信号に基づき振り分ける。
【００３０】
このとき、制御部１により当該貨幣が偽貨であると認められた場合には、当該貨幣を貨幣返却部５へ振り分け、当該貨幣は貨幣返却口から投入者に返却される。
【００３１】
また、制御部１により当該貨幣が正貨であると認められた場合には、当該貨幣を貨幣受入部６に振り分けるが、この場合には、更に金種別に貨幣受入部６ａ乃至６ｄのいずれかに当該貨幣を振り分ける。
【００３２】
貨幣振分部６ａ乃至６ｄに振り分けられた貨幣は、釣り銭の払い出し等、必要に応じて貨幣払出制御部８の制御により、貨幣払出口から払い出される。
【００３３】
次に、制御部１における貨幣選別処理の流れを図３を参照して説明する。
【００３４】
図３は、制御部１における貨幣選別処理の流れを示すフローチャートである。
なお、この貨幣選別処理の流れの説明中、特に明記しない変数やカウンタ等の値はメモリ１２内に形成および保持されるものである。
【００３５】
さて、貨幣選別処理が開始され（ステップ１０１）、特徴センサ３が貨幣の投入を検知すると（ステップ１０２でＹＥＳ）、検出手段１１が特徴センサ３の出力に基づいて貨幣の特徴を検出し、変数ＤＡＴＡに検出結果を格納する（ステップ１０３）。
【００３６】
次に、変数ＤＡＴＡの値と各金種の判定データとの比較を行う準備として金種カウンタｉを０にセットする（ステップ１０４）。この金種カウンタｉの値は、金種を示しており、例えば０が１０円硬貨、１が５０円硬貨、２が１００円硬貨、３が５００円硬貨を示す。
【００３７】
金種カウンタｉのセットが終了すると各金種の判定データＰＫＩＮ（ｉ）と変数ＤＡＴＡの絶対差を取り、これを変数ＲＥＦ（ｉ）に格納する（ステップ１０５）。
【００３８】
次に、比較手段１４で変数ＲＥＦ（ｉ）と許容限界値ＭＡＸ（ｉ）の比較を行い（ステップ１０６）、変数ＲＥＦ（ｉ）の方が小さい、つまり、判定データＰＫＩＮ（ｉ）と変数ＤＡＴＡの絶対差が許容限界値ＭＡＸ（ｉ）以内である場合には（ステップ１０６でＮＯ）、投入された貨幣が金種ｉの正貨であると判断し、ステップ１２５へ進む。
【００３９】
また、変数ＲＥＦ（ｉ）が許容限界値ＭＡＸ（ｉ）よりも大きい場合には（ステップ１０６でＹＥＳ）、投入された金種が金種カウンタｉの示す金種ではないと判断し、金種カウンタｉをインクリメントする（ステップ１０７）。
【００４０】
このステップ１０５からステップ１０７の処理は、投入された貨幣が金種ｉであると判断されるか（ステップ１０６でＮＯ）、金種カウンタｉの値が最大金種ＫＩＮＭＡＸの値（５００円硬貨を最大と設定するならば３）を越えるまで、つまり、全ての金種との比較が行われるまで繰り返される（ステップ１０８でＮＯ）。
【００４１】
さて、ステップ１０５からステップ１０８までの処理で、どの金種にも該当しない偽貨であると判断されると（ステップ１０８でＹＥＳ）、変数ＭＩＮに変数ＭＩＮの最大の値９９９９を格納するとともに、金種カウンタｉの値をクリアする（ステップ１０９）。
【００４２】
次にステップ１１０からステップ１１３の処理で、投入された偽貨が正貨のどの金種に最も近いかを判定する。
【００４３】
この処理は、変数ＲＥＦ（ｉ）と変数ＭＩＮの値を比較し（ステップ１１０）、ＲＥＦ（ｉ）の方が小さければ、変数ＲＥＦ（ｉ）の値を変数ＭＩＮの新たな値として格納するとともに、変数ＢＩに当該金種を示す値であるｉを格納し（ステップ１１１）、金種カウンタｉをインクリメントする（ステップ１１２）。
【００４４】
このステップ１１０からステップ１１２までの処理は、金種カウンタｉの値が最大金種ＫＩＮＭＡＸの値を越えるまで、つまり、全金種の変数ＲＥＦ（ｉ）のうち最も小さい値が変数ＭＩＮに格納されるまで繰り返される（ステップ１１３でＮＯ）。
【００４５】
全金種の変数ＲＥＦ（ｉ）のうち最も小さい値が変数ＭＩＮに格納されると（ステップ１１３でＹＥＳ）、金種ＢＩのリングカウンタＰＮＴ（ＢＩ）の示す最新の受入記憶ＰＡＳ（ＢＩ，ＰＮＴ（ＢＩ））に偽貨が投入されたことを示す１を格納する（ステップ１１４）。リングカウンタＰＮＴ（ＢＩ）は、０乃至７のいずれかの値を保持しており、そのため、受入記憶ＰＡＳ（ＢＩ，ＰＮＴ（ＢＩ））は過去８回の投入に対する記憶を正貨の投入を０、偽貨の投入を１として保持している。
【００４６】
次に、変数ＣＮＴおよび変数ｎの値を０に設定し（ステップ１１５）、ステップ１１６からステップ１１８の処理で変数ＣＮＴに当該金種の受入記憶ＰＡＳ（ＢＩ，ｎ）の値を過去８回分加算した値を格納する。
【００４７】
この結果、ＣＮＴの値が４よりも大きい場合（ステップ１１９でＹＥＳ）は、過去８回の投入の５回以上が偽貨の投入であったため、受入禁止タイマ１５内のタイマＴＭ（ＢＩ）を１分に設定し（ステップ１２０）、貨幣振分手段１６が投入された偽貨を返却するように貨幣振分部４を制御して（ステップ１２７）、ステップ１０２に戻り次の貨幣投入に備える。
【００４８】
また、ＣＮＴの値が４以下の場合に（ステップ１１９でＮＯ）、受入禁止タイマ１５内のタイマＴＭ（ＢＩ）が作動していれば、つまり、タイマＴＭ（ＢＩ）の値が０でなければ（ステップ１２１でＮＯ）、タイマＴＭ（ＢＩ）を再度１分に設定し（ステップ１２０）、貨幣振分手段１６が投入された偽貨を返却するように貨幣振分部４を制御して（ステップ１２７）、ステップ１０２に戻り次の貨幣投入に備える。
【００４９】
また、ステップ１２１で受入禁止タイマ１５内のタイマＴＭ（ＢＩ）が作動していなければ（ステップ１２１でＮＯ）、リングカウンタＰＮＴ（ＢＩ）をインクリメントし（ステップ１２２）、リングカウンタＰＮＴ（ＢＩ）の値が７を越えていれば（ステップ１２３でＹＥＳ）、これをクリアし（ステップ１２４）、貨幣振分手段１６が投入された偽貨を返却するように貨幣振分部４を制御して（ステップ１２７）、ステップ１０２に戻り次の貨幣投入に備える。
【００５０】
一方、ステップ１０６で投入された貨幣が金種ｉの正貨であると判断された場合には（ステップ１０６でＮＯ）、貨幣振分制御手段１６は金種ｉの受入禁止タイマ１５内のタイマＴＭ（ｉ）が作動中か否かをチェックし（ステップ１２５）、タイマＴＭ（ｉ）の値が０でない場合、すなわち、タイマＴＭ（ｉ）が作動中ならば（ステップ１２５でＮＯ）、タイマＴＭ（ｉ）を再度１分に設定し（ステップ１２６）、投入された貨幣を偽貨とみなして返却するように貨幣振分部４を制御して（ステップ１２７）、ステップ１０２に戻り次の貨幣投入に備える。
【００５１】
また、タイマＴＭ（ｉ）が作動していなければ（ステップ１２５でＹＥＳ）、金種ｉのリングカウンタＰＮＴ（ｉ）の示す最新の受入記憶ＰＡＳ（ｉ，ＰＮＴ（ｉ））に正貨受入を意味する０を格納し（ステップ１２８）、リングカウンタＰＮＴ（ｉ）をインクリメントし（ステップ１２９）、リングカウンタＰＮＴ（ｉ）の値が７を越えていれば（ステップ１３０でＹＥＳ）、これをクリアし（ステップ１３１）、貨幣振分手段１６が投入された貨幣を受け入れるように貨幣振分部４を制御して（ステップ１３２）、ステップ１０２に戻り次の貨幣投入に備える。
【００５２】
つまり、制御部１は貨幣投入部２から投入された貨幣の特徴を特徴センサ３の出力に基づき検出し、投入された貨幣が正貨であるか偽貨であるかを判断し、偽貨が投入された場合にはその偽貨を返却し、かつ、過去８回の貨幣投入で５回以上の偽貨投入があった場合には受入禁止タイマ１５を作動させる。
【００５３】
また、正貨が投入された場合には受入禁止タイマ１５が作動していないことを条件にその正貨を受け入れる。
【００５４】
受入禁止タイマ１５が作動している場合には、投入された貨幣が正貨、偽貨にかかわらず受け入れを拒否し、受入禁止タイマ１５の作動時間を延長する。
【００５５】
このように投入された貨幣の受け入れの可否を金種毎に行うことで、連続試行による偽貨の受入率を低減させる。
【００５６】
なお、リングカウンタＰＮＴ（ｉ）の最大値（本実施例では８）、ステップ１１９での判定基準（本実施例では４）、ステップ１２０およびステップ１２７でのタイマセット時間（本実施例では１分）は、任意に設定できる値である。
【００５７】
また、ステップ１１０からステップ１１３の処理で投入された偽貨を最も近い金種に選別しているが、投入された偽貨があまりにも正貨とかけ離れているものは、許容値を設けることで処理対象外とすることもできる。
【００５８】
更に、本実施例においては、硬貨を対象とした貨幣選別方法と装置について説明したが、これは一例であり、紙幣を対象とした貨幣選別装置の受入制御も同様に行うこともできる。
【００５９】
また、証券類や金券類などの受入制御も同様に行うこともできる（本明細書中で使用する貨幣は、硬貨および紙幣に加えて、証券類や金券類などを含むものとする）。
【００６０】
【発明の効果】
以上説明したように、この発明によれば、貨幣投入部から投入された貨幣が偽貨と判定された場合にはその偽貨を返却するとともに受入禁止タイマを作動させ、受入禁止タイマが作動している場合には、投入された貨幣が正貨、偽貨のいずれの場合も受け入れを拒否するように構成したので、連続試行による偽貨の受入率を低減させることができる。
【００６１】
また、正貨と偽貨との選別基準を厳しくした場合とは異なり、汚れた正貨を受け入れることもできる。
【図面の簡単な説明】
【図１】この発明に係わる貨幣選別装置の構成を示すブロック図。
【図２】貨幣選別装置における貨幣の流れを示す略図。
【図３】制御部における貨幣選別処理の流れを示すフローチャート。
【符号の説明】
１    制御部
２    貨幣投入部
３    特徴センサ
４    貨幣振分部
５    貨幣返却部
６、６ａ、６ｂ、６ｃ、６ｄ    貨幣受入部
７、７−１、７−２、７−３、７−４    貨幣搬送路
８    貨幣払出制御部
１１    検出手段
１２    メモリ
１３    判定データ格納手段
１４    比較手段
１５    受入禁止タイマ
１６    貨幣振分制御手段
１００    貨幣選別装置
【図１】
0003634562.tif 000002
【図２】
0003634562.tif 000003
【図３】
0003634562.tif 000004